【手続補正書】
【提出日】平成23年3月10日(2011.3.10)
【手続補正１】
【補正対象書類名】特許請求の範囲
【補正対象項目名】全文
【補正方法】変更
【補正の内容】
【特許請求の範囲】
【請求項１】
一つ又はそれ以上のコンピューター読み取り可能媒体であって、
プロセッサーによって実行された際に、
複数の参加エンドポイントによるグループを識別するステップであって、前記グループの各参加エンドポイントがユーザーの電子機器を含み、複数の参加エンドポイントのそれぞれがユーザーのためにデータ・アイテムを蓄積するステップと、
前記ユーザーから、前記参加エンドポイント・グループの第一の参加エンドポイントを介して、前記参加エンドポイント・グループの第二の参加エンドポイントの選択を受信するステップであって、該選択が、前記第一の参加エンドポイントによって提示されるユーザー・インターフェースを介してなされ、該ユーザー・インターフェースが、前記グループ内の他の参加エンドポイントのうちの少なくとも幾つかを表示するように構成されるステップと、
前記ユーザーから、前記第一の参加エンドポイントを介して、複数の識別情報の中から前記ユーザーによって選択された、提示された識別情報を受信するステップであって、前記提示された識別情報が、前記第一の参加エンドポイント、又は前記ユーザー、又はその両方と関連付けられており、前記ユーザーによって有効と主張された一つ又はそれ以上の情報を含むステップと、
前記グループの参加エンドポイントのうちの少なくとも幾つかのそれぞれに蓄積された個々のデータ・アイテムのカタログを有するＷＡＮベースのデータ・アクセス・サービスを用いて、前記提示された識別情報により前記ユーザーに対して許可される、前記第二の参加エンドポイントによって蓄積されたデータ・アイテムへのアクセスのレベルを識別するステップと、
前記アクセスのレベルに基づいて、前記第二の参加エンドポイントに蓄積された前記データ・アイテムから、前記ユーザーがアクセスを許可される特定のデータ・アイテムを識別するステップと、
前記データ・アクセス・サービスによって識別された通信ネットワークを介した前記第一の参加エンドポイントと前記第二の参加エンドポイントとの間の通信セッションを確立させるステップと、
前記第一の参加エンドポイントが、前記通信セッションを介して前記特定のデータ・アイテムにアクセスするようにするステップと、
を含むリモート・データ・アクセス方法を実行するコンピューター実行可能命令でエンコードされたコンピューター読み取り可能媒体。
【請求項２】
特定のデータ・アイテムを識別する前記ステップが、
前記第一の参加エンドポイントを介して前記特定のデータ・アイテムのユーザー選択を受信するステップであって、前記ユーザー選択が、前記グループ内の前記参加エンドポイントのうちの少なくともいくつかに蓄積された利用可能なデータ・アイテムのカタログのーザー・インターフェース上の表示を介してなされるステップ
を備える、請求項１記載のコンピューター読み取り可能媒体。
【請求項３】
利用可能なデータ・アイテムの前記カタログが、前記グループ内の前記参加エンドポイントのうちの少なくとも幾つかによって蓄積された前記データ・アイテムの包括的な表示を含む、請求項２記載のコンピューター読み取り可能媒体。
【請求項４】
特定のデータ・アイテムを識別する前記ステップが、データ選択基準を評価することにより、前記特定のデータ・アイテムを自動的に識別するステップを備え、
前記データ選択基準が、参加エンドポイント特性、データ・アイテム特性、ユーザー・プロフィール、ユーザーの嗜好及びネットワーク特性からなるグループから選択される、請求項１記載のコンピューター読み取り可能媒体。
【請求項５】
前記方法が自動的且つ間欠的に実行される、請求項１記載のコンピューター読み取り可能媒体。
【請求項６】
通信セッションを確立させる前記ステップが、
前記第一のエンドポイントと前記第二のエンドポイントとの間にパケット・データ・トンネルを確立するステップであって、該パケット・データ・トンネルが、前記第一のエンドポイントと前記第二のエンドポイントとの間でデータ・パケットを転送するよう構成されるステップ
を備える、請求項１記載のコンピューター読み取り可能媒体。
【請求項７】
前記第一のエンドポイントが携帯電子機器であり、プロキシ・サーバーが前記携帯電子機器と前記第二の参加エンドポイントとの間の相互接続点として機能する、請求項６記載のコンピューター読み取り可能媒体。
【請求項８】
前記通信セッションがクライアント・サーバー通信セッション又はピア・ツー・ピア通信セッションを含む、請求項１記載のコンピューター読み取り可能媒体。
【請求項９】
前記方法が、更に、
前記第一の参加エンドポイントの特性、前記ネットワークの特性又はそれら両方の特性に基づいて、特定のデータ・アイテムの形式を選択するステップと、
前記特定のデータ・アイテムを前記選択された形式に変換するステップと、
前記データ・アイテムが前記選択された形式に変換された後に、前記第一の参加エンドポイントが前記変換されたデータ・アイテムにアクセスするようにするステップと、
を備える、請求項１記載のコンピューター読み取り可能媒体。
【請求項１０】
前記第一の参加エンドポイントが前記通信セッションを介して前記特定のデータ・アイテムにアクセスするようにする前記ステップが、前記特定のデータ・アイテムが、前記第一の参加エンドポイントからアップロードされ、又は、前記第一の参加エンドポイントにダウンロードされるようにするステップを備える、請求項１記載のコンピューター読み取り可能媒体。
【請求項１１】
前記第一の参加エンドポイントが、前記通信セッションを介して前記特定のデータ・アイテムにアクセスするようにする前記方法のステップが、前記第一の参加エンドポイントと前記第二の参加エンドポイントとの間で前記特定のデータ・アイテムを同期させるステップを備える、請求項１記載のコンピューター読み取り可能媒体。
【請求項１２】
前記方法が、更に、前記第一の参加エンドポイントが、前記通信セッションを介して前記特定のデータ・アイテムにアクセスするようにする前記ステップの後に、前記特定のデータ・アイテムをサード・パーティと共有するステップを備え、
前記特定のデータ・アイテムを共有する前記ステップが、
電子メール、ネットワーク・ベースの情報レポジトリーを介したアクセスの許可、ネットワーク・ベースの情報レポジトリーからのプッシュ、ストリーミング、ショート・メッセージ、テキスト・メッセージ、及び当該コンピューター読み取り可能媒体又は他のコンピューター読み取り可能媒体へのポストからなるグループから選択された技術を用いて前記データ・アイテムを共有するステップ
を備える、請求項１記載のコンピューター読み取り可能媒体。
【請求項１３】
前記特定のデータ・アイテムが所定の知的財産権によって保護されており、
前記方法が、更に、デジタル権利管理技術により、前記ユーザーに前記所定の知的財産権による権利が付与されるようにするステップを備え、
前記権利が、前記特定のデータ・アイテムを譲渡する権利、前記特定のデータ・アイテムの派生作品を準備する権利、前記特定のデータ・アイテムを複製する権利、及び、前記特定のデータ・アイテムを頒布する権利からなるグループから選択される、
請求項１記載のコンピューター読み取り可能媒体。
【請求項１４】
前記コンピューター実行可能命令がサーバー側のアプリケーションを含む、請求項１記載のコンピューター読み取り可能媒体。
【請求項１５】
前記コンピューター実行可能命令がクライアント側のアプリケーションを含む、請求項１記載のコンピューター読み取り可能媒体。
【請求項１６】
装置であって、
通信インターフェースと、
コンピューター読み取り可能記憶媒体と、
前記コンピューター読み取り可能記憶媒体、前記通信インターフェース、及び、前記コンピューター読み取り可能記憶媒体に蓄積されたコンピューター実行可能命令に応答するプロセッサーと、
を備え、
前記コンピューター実行可能命令が、前記プロセッサーによって、
複数の参加エンドポイントによるグループを識別するステップであって、前記グループの各参加エンドポイントがユーザーの電子機器を含み、複数の参加エンドポイントのそれぞれがユーザーのためにデータ・アイテムを蓄積するステップと、
前記ユーザーから、前記参加エンドポイント・グループの第一の参加エンドポイントを介して、前記参加エンドポイント・グループの第二の参加エンドポイントの選択を受信するステップであって、該選択が、前記第一の参加エンドポイントによって提示されるユーザー・インターフェースを介してなされ、該ユーザー・インターフェースが、前記グループ内の他の参加エンドポイントのうちの少なくとも幾つかを表示するように構成されるステップと、
前記ユーザーから、前記第一の参加エンドポイントを介して、複数の識別情報の中から前記ユーザーによって選択された、提示された識別情報を受信するステップであって、前記提示された識別情報が、前記第一の参加エンドポイント、又は前記ユーザー、又はその両方と関連付けられており、前記ユーザーによって有効と主張された一つ又はそれ以上の情報を含むステップと、
前記グループの参加エンドポイントのうちの少なくとも幾つかのそれぞれに蓄積された個々のデータ・アイテムのカタログを有するＷＡＮベースのデータ・アクセス・サービスを用いて、前記提示された識別情報により前記ユーザーに対して許可される、前記第二の参加エンドポイントによって蓄積されたデータ・アイテムへのアクセスのレベルを識別するステップと、
前記アクセスのレベルに基づいて、前記第二の参加エンドポイントに蓄積された前記データ・アイテムから、前記ユーザーがアクセスを許可される特定のデータ・アイテムを識別するステップと、
前記データ・アクセス・サービスによって識別された通信ネットワークを介した前記第一の参加エンドポイントと前記第二の参加エンドポイントとの間の通信セッションを確立させるステップと、
前記第一の参加エンドポイントが、前記通信セッションを介して前記特定のデータ・アイテムにアクセスするようにするステップと、
を実行可能である装置。
【請求項１７】
前記特定のデータ・アイテムが所定の知的財産権によって保護されており、
前記コンピューター実行可能命令が、更に、
デジタル権利管理技術により、前記ユーザーに前記所定の知的財産権による権利が付与されるようにするステップ
を実行可能であり、
前記権利が、前記特定のデータ・アイテムを譲渡する権利、前記特定のデータ・アイテムの派生作品を準備する権利、前記特定のデータ・アイテムを複製する権利、及び、前記特定のデータ・アイテムを頒布する権利からなるグループから選択される、請求項１６記載の装置。
【請求項１８】
前記カタログが、前記グループ内の各参加エンドポイントに蓄積された前記データ・アイテムへの参照を含む、請求項１記載のコンピューター読み取り可能媒体。
【請求項１９】
前記カタログが、前記グループ内の各参加エンドポイントに蓄積された前記データ・アイテムへの参照を含む、請求項１６記載の装置。